(57)【要約】【課題】ファッション性や身だしなみのレベルを保ちつつ、丈が膝下よりも短いウェアを着用している場合の雨天時においても下腿部及びシューズの中がびしょ濡れになることを防止可能で、かつ雨の日だけに使用する専用シューズを不要とすることができる、底部開口型シューズカバー及びカバー付きシューズを提供する。【解決手段】底部開口型シューズカバー１０は、使用者の膝下あたりまでを覆う高さのブーツの底部を全体的に切り取った形状で、表面が非透水性材質である。使用に際しては、まず、通常のブーツを履くようにして底部開口型シューズカバー１０の上部開口に足を通す。次に、底部開口型シューズカバー１０の底部開口３０から足を出して所望のシューズを履く。そして、底部開口型シューズカバー１０の底部開口３０とカバー対象のシューズの底面とが概ね一致するように底部開口型シューズカバー１０をシューズに被せる。【選択図】図１
0003162964.tif 000002
【実用新案登録請求の範囲】
【請求項１】
ブーツの底部を全体的に切り取った形状で、非透水性材質の層を有する、底部開口型シューズカバー。
【請求項２】
ブーツの底部を全体的に切り取った形状で、非透水性材質の層を有する本体部と、
前記本体部に取り付けられて前記本体部の底部開口を跨ぐ帯状ないし紐状の弾性部材とを備える、底部開口型シューズカバー。
【請求項３】
請求項２に記載の底部開口型シューズカバーにおいて、
前記弾性部材は、前記底部開口の前側と後側に分かれて少なくとも２つ存在し、
各々の弾性部材が前記底部開口を幅方向に跨ぐことを特徴とする、底部開口型シューズカバー。
【請求項４】
請求項２又は３に記載の底部開口型シューズカバーにおいて、前記弾性部材は、前記底部開口を跨がない状態に弾性変形可能である、底部開口型シューズカバー。
【請求項５】
ブーツの底部を全体的に切り取った形状で、非透水性材質の層を有する本体部と、
前記本体部の上部開口と底部開口の中間位置において前記本体部の内側面に取り付けられて、前記本体部の内側面同士を幅方向に渡す帯状ないし紐状の弾性部材とを備え、
前記弾性部材は、使用者の足裏に引っかかった状態で前記底部開口にまで伸びるように弾性変形可能である、底部開口型シューズカバー。
【請求項６】
請求項１から５のいずれかに記載の底部開口型シューズカバーにおいて、使用者の少なくとも膝下までを覆う高さであることを特徴とする、底部開口型シューズカバー。
【請求項７】
シューズと、
前記シューズに被せられ、前記シューズから分離自在な底部開口型シューズカバーとを備え、
前記底部開口型シューズカバーは、ブーツの底部を全体的に切り取った形状で、非透水性材質の層を有する、カバー付きシューズ。
【請求項８】
シューズと、
前記シューズに被せられ、前記シューズから分離自在な底部開口型シューズカバーとを備え、
前記底部開口型シューズカバーは、
ブーツの底部を全体的に切り取った形状で、非透水性材質の層を有する本体部と、
前記本体部に取り付けられて前記本体部の底部開口を跨ぎ、前記シューズの底部に引っ掛かる帯状ないし紐状の弾性部材とを有する、カバー付きシューズ。
【請求項９】
請求項８に記載のカバー付きシューズにおいて、前記弾性部材が、前記底部開口を跨がない状態に弾性変形可能であることを特徴とする、カバー付きシューズ。
【請求項１０】
シューズと、
前記シューズに被せられ、前記シューズから分離自在な底部開口型シューズカバーとを備え、
前記底部開口型シューズカバーは、
ブーツの底部を全体的に切り取った形状で、非透水性材質の層を有する本体部と、
前記本体部の上部開口と底部開口の中間位置において両端が前記本体部の内側面に取り付けられ、前記本体部の内側面同士を幅方向に渡す帯状ないし紐状の弾性部材とを有し、
前記弾性部材は、使用者の足裏に引っかかった状態での弾性力により、前記底部開口型シューズカバーを前記シューズに対して押し付ける、カバー付きシューズ。
【請求項１１】
シューズと、
前記シューズに被せられ、前記シューズから分離自在な底部開口型シューズカバーとを備え、
前記底部開口型シューズカバーは、
ブーツの底部を全体的に切り取った形状で、非透水性材質の層を有する本体部と、
前記本体部の足甲被覆部分の内側に少なくとも一端が取り付けられ、他端が前記足甲被覆部分の内側又は自身の前記一端側に取り付けられ、前記シューズの靴紐と引っかかる帯状ないし紐状の係止部材とを有し、
前記係止部材は、前記他端が前記足甲被覆部分の内側又は自身の前記一端側から取り外し自在である、カバー付きシューズ。
【請求項１２】
請求項７から１１のいずれかに記載のカバー付きシューズにおいて、前記底部開口型シューズカバーが、使用者の少なくとも膝下までを覆う高さであることを特徴とする、カバー付きシューズ。
【請求項１３】
請求項７から１２のいずれかに記載のカバー付きシューズにおいて、前記底部開口型シューズカバーの底部開口と前記シューズの靴底周囲の側面とが嵌り合っている、カバー付きシューズ。
【考案の詳細な説明】
【技術分野】
【０００１】
本考案は、ゴルフシューズ等に被せて防水性を持たせる底部開口型シューズカバー、及びそれを被せたカバー付きシューズに関する。
【背景技術】
【０００２】
近年のゴルフブームにより、女性ゴルファーの人口が増えてきている。女性ゴルファーがゴルフに求めるものの一つとして、シューズやウェアをトータルで見たファッション性が挙げられる。また、会社の上司との付き合いや他社の接待などで行うことも多いゴルフでは、スポーツとしての楽しさのみならず身だしなみも重要である。一般にゴルフは雨天時でも決行されるため、雨天時においてもファッション性や身だしなみを一定レベル以上に保てることが望ましい。
【０００３】
レインウェアに関しては、ロングパンツスタイルが主流でファッション性に優れたものが少ない中で、例えばレインスカート（丈は膝下よりも短い）はファッション性の高さの面で期待が持てる。しかし、一般にゴルフシューズは足首以下のみを覆う高さのため、レインスカート等の丈が膝下よりも短いウェアでは下腿部がびしょ濡れになってしまう。また、防水性のないゴルフシューズでは、ゴルフシューズの中もびしょ濡れになってしまう。ゴルフ場は郊外で比較的標高の高いところにあることが多いため、このようなびしょ濡れ状態では、寒さのため体温を奪われて、ゴルフどころではなくなることも少なくない。
【０００４】
こうした知見のもと、本考案者は、ファッション性や身だしなみのレベルを保ちつつ、雨天時においても下腿部及びゴルフシューズの中がびしょ濡れにならないようにする対策の必要性を認識した。
【０００５】
靴の防水に関する公知技術を説明する。下記特許文献１は、防水処理の施されていない靴の甲側を被覆して雨天時や作業時の靴の濡れや水による汚れを防止するためのシューズカバーを提案している。下記特許文献２は、例えば雨水の浸入を防ぐために開口部がゴム口で形成され、シューズカバーを着装したときにこのゴム口が足首の部分を必要な力で緊締する構成となっているシューズカバーを提案している。
【０００６】
【特許文献１】特開２００９-０４５１８７号公報
【特許文献２】特開平１０-０００１０１号公報
【考案の開示】
【考案が解決しようとする課題】
【０００７】
特許文献１のシューズカバーは、非透水性のシート状被覆材で靴の甲側を被覆するが、使用者の足首よりも上や靴のかかと部分は被覆しない。こうしたシューズカバーは、靴の甲側からの雨水の侵入を簡易的に防ぐにはよいが、ファッション性や身だしなみのレベルは到底期待できない。また、レインスカートを身につけた場合に下腿部がびしょ濡れになることを防止するには役立たない。
【０００８】
特許文献２のシューズカバーは、靴を底部も含めて全体的に被覆するものであるため、シューズカバーをゴルフシューズに被せると、底部（地面との接地面）がゴルフシューズのスパイクでなくなってしまうため、防水はできてもゴルフができない。
【０００９】
レインブーツの底部にゴルフシューズと同様のスパイクをつけた製品を作ることも考えられるが、それでは消費者はプレー頻度がそう多くないゴルフ（一般のゴルファーは年に数回が普通）のために雨の日だけに使用する専用シューズを購入しなければならず、需要は低いと思われる。
【００１０】
本考案はこうした状況を認識してなされたものであり、その目的は、ファッション性や身だしなみのレベルを保ちつつ、丈が膝下よりも短いウェアを着用している場合の雨天時においても下腿部及びシューズの中がびしょ濡れになることを防止可能で、かつ雨の日だけに使用する専用シューズを不要とすることができる、底部開口型シューズカバー及びカバー付きシューズを提供することにある。
【課題を解決するための手段】
【００１１】
本考案の第１の態様は、底部開口型シューズカバーである。このシューズカバーは、ブーツの底部を全体的に切り取った形状で、非透水性材質の層を有する。
【００１２】
本考案の第２の態様も、底部開口型シューズカバーである。このシューズカバーは、
ブーツの底部を全体的に切り取った形状で、非透水性材質の層を有する本体部と、
前記本体部に取り付けられて前記本体部の底部開口を跨ぐ帯状ないし紐状の弾性部材とを備える。
【００１３】
第２の態様の底部開口型シューズカバーにおいて、
前記弾性部材は、前記底部開口の前側と後側に分かれて少なくとも２つ存在し、
各々の弾性部材が前記底部開口を幅方向に跨いでもよい。
【００１４】
第２の態様の底部開口型シューズカバーにおいて、前記弾性部材は、前記底部開口を跨がない状態に弾性変形可能であるとよい。
【００１５】
本考案の第３の態様も、底部開口型シューズカバーである。このシューズカバーは、
ブーツの底部を全体的に切り取った形状で、非透水性材質の層を有する本体部と、
前記本体部の上部開口と底部開口の中間位置において前記本体部の内側面に取り付けられて、前記本体部の内側面同士を幅方向に渡す帯状ないし紐状の弾性部材とを備え、
前記弾性部材は、使用者の足裏に引っかかった状態で前記底部開口にまで伸びるように弾性変形可能である。
【００１６】
第１から第３の態様の底部開口型シューズカバーにおいて、このシューズカバーは、使用者の少なくとも膝下までを覆う高さであるとよい。
【００１７】
本考案の第４の態様は、カバー付きシューズである。このカバー付きシューズは、
シューズと、
前記シューズに被せられ、前記シューズから分離自在な底部開口型シューズカバーとを備え、
前記底部開口型シューズカバーは、ブーツの底部を全体的に切り取った形状で、非透水性材質の層を有する。
【００１８】
本考案の第５の態様も、カバー付きシューズである。このカバー付きシューズは、
シューズと、
前記シューズに被せられ、前記シューズから分離自在な底部開口型シューズカバーとを備え、
前記底部開口型シューズカバーは、
ブーツの底部を全体的に切り取った形状で、非透水性材質の層を有する本体部と、
前記本体部に取り付けられて前記本体部の底部開口を跨ぎ、前記シューズの底部に引っ掛かる帯状ないし紐状の弾性部材とを有する。
【００１９】
第５の態様のカバー付きシューズにおいて、前記弾性部材が、前記底部開口を跨がない状態に弾性変形可能であるとよい。
【００２０】
本考案の第６の態様も、カバー付きシューズである。このカバー付きシューズは、
シューズと、
前記シューズに被せられ、前記シューズから分離自在な底部開口型シューズカバーとを備え、
前記底部開口型シューズカバーは、
ブーツの底部を全体的に切り取った形状で、非透水性材質の層を有する本体部と、
前記本体部の上部開口と底部開口の中間位置において両端が前記本体部の内側面に取り付けられ、前記本体部の内側面同士を幅方向に渡す帯状ないし紐状の弾性部材とを有し、
前記弾性部材は、使用者の足裏に引っかかった状態での弾性力により、前記底部開口型シューズカバーを前記シューズに対して押し付ける。
【００２１】
本考案の第７の態様も、カバー付きシューズである。このカバー付きシューズは、
シューズと、
前記シューズに被せられ、前記シューズから分離自在な底部開口型シューズカバーとを備え、
前記底部開口型シューズカバーは、
ブーツの底部を全体的に切り取った形状で、非透水性材質の層を有する本体部と、
前記本体部の足甲被覆部分の内側に少なくとも一端が取り付けられ、他端が前記足甲被覆部分の内側又は自身の前記一端側に取り付けられ、前記シューズの靴紐と引っかかる帯状ないし紐状の係止部材とを有し、
前記係止部材は、前記他端が前記足甲被覆部分の内側又は自身の前記一端側から取り外し自在である。
【００２２】
第４から第７の態様のカバー付きシューズにおいて、前記底部開口型シューズカバーが、使用者の少なくとも膝下までを覆う高さであるとよい。
【００２３】
第４から第７の態様のカバー付きシューズにおいて、前記底部開口型シューズカバーの底部開口と前記シューズの靴底周囲の側面とが嵌り合っているとよい。
【００２４】
なお、以上の構成要素の任意の組合せもまた、本考案の態様として有効である。
【考案の効果】
【００２５】
本考案によれば、底部開口型シューズカバーはブーツの底部を全体的に切り取った形状で非透水性材質の層を有するため、特許文献１のように靴の甲側だけを覆う非透水性シート状被覆材と比較して、ファッション性や身だしなみのレベルを高く保つことができ、また、丈が膝下よりも短いウェアを着用している場合の雨天時においても足首膝下及びシューズの中がびしょ濡れになることを防止可能である。また、特許文献２のように靴を底部も含めて全体的に被覆するシューズカバーと異なりシューズの底部が露出するので、シューズ底部の機能（例えばスパイクの機能）を損なうこともない。そして、必要なときのみ底部開口型シューズカバーをシューズに被せるだけでよいので、雨の日だけに使用する専用シューズを不要とすることができる。
【図面の簡単な説明】
【００２６】
【図１】本考案の実施の形態１に係る底部開口型シューズカバーを下方から見た斜視図。
【図２】同シューズカバーを上方から見た斜視図。
【図３】図１及び図２に示す底部開口型シューズカバーによるカバー対象の例示であるゴルフシューズを下方から見た斜視図。
【図４】同ゴルフシューズを上方から見た斜視図。
【図５】図１及び図２に示す底部開口型シューズカバーを図３及び図４に示すゴルフシューズに被せたカバー付きシューズを下方から見た斜視図。
【図６】本考案の実施の形態２に係る底部開口型シューズカバーを下方から見た斜視図。
【図７】図６に示す底部開口型シューズカバーを図３及び図４に示すゴルフシューズに被せたカバー付きシューズを下方から見た斜視図。
【図８】本考案の実施の形態３に係る底部開口型シューズカバーを上方から見た斜視図。
【図９】同底部開口型シューズカバーの要部拡大正断面図。
【図１０】本考案の実施の形態４に係る底部開口型シューズカバーを下方から見た斜視図。
【考案を実施するための最良の形態】
【００２７】
以下、図面を参照しながら本考案の好適な実施の形態を詳述する。なお、各図面に示される同一または同等の構成要素、部材等には同一の符号を付し、適宜重複した説明は省略する。また、実施の形態は考案を限定するものではなく例示であり、実施の形態に記述されるすべての特徴やその組み合わせは必ずしも考案の本質的なものであるとは限らない。
【００２８】
（実施の形態１）
図１は、本考案の実施の形態１に係る底部開口型シューズカバー１０を下方から見た斜視図である。図２は、同シューズカバー１０を上方から見た斜視図である。底部開口型シューズカバー１０は、ブーツの底部を全体的に切り取った形状で、非透水性材質の層を有する。ここでは、底部開口型シューズカバーの表面が非透水性材質（例えばゴム等の樹脂素材）で、裏面は布地である。もっとも、非透水性材質の層は表面である場合に限らず、中間層にあってもよいし、非透水性材質の層のみ存在してもよい。底部開口型シューズカバー１０は、使用者の下腿部の少なくとも半分程度を隠せる高さ（ハーフブーツ丈）以上であり、好ましくは、使用者の膝下あたりまでを覆う高さ（ロングブーツ丈）とする。また、使用者の膝以上を覆う高さとしてもよい。図示の例では、底部開口型シューズカバー１０は使用者の膝下あたりまでを覆う高さである。
【００２９】
使用に際しては、まず、通常のブーツを履くようにして底部開口型シューズカバー１０の上部開口２０に足を通す。次に、底部開口型シューズカバー１０の底部開口３０から足を出して所望のシューズ（例えば図３及び図４に示すゴルフシューズ５０）を履く。そして、底部開口型シューズカバー１０の底部開口３０とカバー対象のシューズの底面とが概ね一致するように底部開口型シューズカバー１０をシューズに被せる。
【００３０】
図５は、図１及び図２に示す底部開口型シューズカバー１０を図３及び図４に示すゴルフシューズ５０に被せたカバー付きシューズ７０を下方から見た斜視図である。底部開口型シューズカバー１０とゴルフシューズ５０のサイズを適当に合わせれば、底部開口型シューズカバー１０の底部開口３０とゴルフシューズ５０の靴底周囲の側面とが嵌り合って抜けや相互の位置ずれが防止される。
【００３１】
本実施の形態によれば、下記の通りの効果を奏することができる。
【００３２】
(1) 底部開口型シューズカバー１０は、ブーツの底部を全体的に切り取った形状であるため、シューズに被せた場合、目に見える部分は全部又は大部分が底部開口型シューズカバー１０によって占められる。したがって、特許文献１のように靴の甲側だけを覆う非透水性シート状被覆材を取り付けた場合と比較して、全体として統一感のある外観となる。すなわち、特許文献１のシューズカバーと比較してファッション性や身だしなみのレベルを高く保つことができる。
【００３３】
(2) 底部開口型シューズカバー１０は上記のような形状でかつ使用者の下腿部の少なくとも半分程度を隠せる高さであり、また非透水性材質の層を有するため、特許文献１の非透水性シート状被覆材と異なり、丈が膝下よりも短いウェアを着用している場合の雨天時においても下腿部及びシューズの中がびしょ濡れになることを防止可能である。したがって、びしょ濡れ状態で寒さのために体温を奪われることを防止でき、雨天時であっても比較的快適に過ごす（例えばゴルフを楽しむ）ことができる。底部開口型シューズカバー１０が使用者の膝下あたりまでを覆う高さであれば、下腿部に対する防水の面で一層有利である。
【００３４】
(3) 特許文献２のように靴を底部も含めて全体的に被覆するシューズカバーと異なり、カバー対象のシューズの底部が露出するので、シューズ底部の機能（例えばスパイクの機能）を損なうこともない。
【００３５】
(4) 必要なときのみ底部開口型シューズカバーをシューズに被せるだけでよいので、雨の日だけに使用する専用シューズを不要とすることができる。このため、雨天時専用のゴルフシューズを準備する場合と比較して、使用者（例えばゴルファー）のコスト負担を軽減することができる。
【００３６】
（実施の形態２）
図６は、本考案の実施の形態２に係る底部開口型シューズカバー１２を下方から見た斜視図である。なお、上方から見た斜視図は図２と同様である。底部開口型シューズカバー１２は、実施の形態１の底部開口型シューズカバーを本体部１７として備えるとともに、本体部１７の底部開口３０を跨ぐ帯状ないし紐状の弾性部材２０１,２０２（例えばゴム紐やゴムバンド）をさらに備える。弾性部材２０１は、底部開口３０の前側を幅方向に跨ぐ。弾性部材２０２は、底部開口３０の後側を幅方向に跨ぐ。なお、弾性部材は１つであってもよく、また底部開口３０を長さ方向に跨いでもよい。弾性部材２０１,２０２は、底部開口３０を跨がない状態に弾性変形可能であることが好ましい。
【００３７】
本実施の形態に係る底部開口型シューズカバー１２の使用方法は、実施の形態１のものと同様である。但し、底部開口型シューズカバー１２をシューズに被せる時は、弾性部材２０１,２０２を前後に広げ、シューズが底部開口３０を通れるようにする。そして、底部開口型シューズカバー１２をシューズに被せた後で、弾性部材２０１,２０２を元に戻す（シューズの底面に引っ掛ける）。図７は、図６に示す底部開口型シューズカバー１２を図３及び図４に示すゴルフシューズ５０に被せたカバー付きシューズ７２を下方から見た斜視図である。
【００３８】
本実施の形態によれば、実施の形態１の効果に加え、弾性部材２０１,２０２をシューズの底面に引っ掛けることで、底部開口型シューズカバー１２のシューズからの抜けや相互の位置ずれがより確実に防止される。
【００３９】
（実施の形態３）
図８は、本考案の実施の形態３に係る底部開口型シューズカバー１３を上方から見た斜視図である。図９は、同底部開口型シューズカバー１３の要部拡大正断面図である。なお、下方から見た斜視図は図１と同様である。本実施の形態の底部開口型シューズカバーは、実施の形態１の底部開口型シューズカバーを本体部１７として備える。そして、本体部１７の上部開口２０と底部開口の中間位置において本体部１７の内側面に取り付けられて、本体部１７の内側面同士を幅方向に渡す帯状ないし紐状の弾性部材３０１（例えばゴムバンドやゴム紐）をさらに備える。弾性部材３０１の取付高さは特に限定されないが、本体部１７の半分以下の高さが適当である。弾性部材３０１は、使用者の足裏に引っかかった状態で前記底部開口にまで伸びるように弾性変形可能である。
【００４０】
本実施の形態に係る底部開口型シューズカバーの使用方法は、実施の形態１のものと同様である。但し、底部開口型シューズカバーに足を通す際には、弾性部材３０１が足裏に引っ掛かるようにし、その状態でシューズを履く。
【００４１】
本実施の形態によれば、実施の形態１の効果に加え、使用時には弾性部材３０１の弾性力により底部開口型シューズカバーが下方に付勢されてシューズに押し付けられるため、底部開口型シューズカバーのシューズからの抜けや相互の位置ずれがより確実に防止される。
【００４２】
（実施の形態４）
図１０は、本考案の実施の形態４に係る底部開口型シューズカバー１４を下方から見た斜視図である。なお、上方から見た斜視図は図２と同様である。底部開口型シューズカバー１４は、実施の形態１の底部開口型シューズカバーを本体部１７として備えるとともに、本体部１７の足甲被覆部分４４の内側に両端が取り付けられ、カバー対象のシューズの靴紐と引っかかる帯状ないし紐状の係止部材４０１（例えばゴム紐やゴムバンド）をさらに備える。係止部材４０１は、本体部１７の足甲被覆部分４４の内側に両端がホック等で取り付けられ、本体部１７から取り外し自在である。なお、係止部材４０１の一端は本体部１７に固定的に取り付けられ、他端のみが本体部１７から取り外し自在であってもよい。また、係止部材４０１の他端は、自身の一端側にホック等で取り付けられ、前記一端側から取り外し自在であってもよい。この場合、係止部材４０１は円を描き、その円の内側をシューズの靴紐が通過する。
【００４３】
本実施の形態に係る底部開口型シューズカバー１４の使用方法は、実施の形態１のものと同様である。但し、底部開口型シューズカバー１４をシューズに被せた後で、係止部材４０１をシューズの靴紐に引っ掛けて本体部１７の足甲被覆部分４４の内側に取り付ける、又は係止部材４０１の他端を一端側に取り付ける。
【００４４】
本実施の形態によれば、実施の形態１の効果に加え、係止部材４０１がカバー対象のシューズの靴紐と引っかかるため、底部開口型シューズカバー１４のシューズからの抜けや相互の位置ずれがより確実に防止される。
【００４５】
以上、実施の形態を例に本考案を説明したが、実施の形態の各構成要素には請求項に記載の範囲で種々の変形や組み合わせが可能であることは当業者に理解されるところである。一例を挙げれば、図６に示す弾性部材２０１,２０２の少なくとも一方(好ましくは前側の弾性部材２０１)と、図８に示す弾性部材３０１とが共に存在する組合せも考えられる。また、図８に示す弾性部材３０１と図１０に示す係止部材４０１とが共に存在する組合せも考えられる。
【符号の説明】
【００４６】
１０，１２，１３，１４  底部開口型シューズカバー
１７  本体部
２０  上部開口
３０  底部開口
４４  足甲被覆部分
２０１，２０２，３０１  弾性部材
４０１  係止部材
【図１】
0003162964.tif 000003
【図２】
0003162964.tif 000004
【図３】
0003162964.tif 000005
【図４】
0003162964.tif 000006
【図５】
0003162964.tif 000007
【図６】
0003162964.tif 000008
【図７】
0003162964.tif 000009
【図８】
0003162964.tif 000010
【図９】
0003162964.tif 000011
【図１０】
0003162964.tif 000012